(57)【要約】【課題】本発明は水中ライト等の発光源であるランプを簡略な構成でフル点灯させることが可能なライト回路を提供する。【解決手段】本発明は、駆動用のバッテリ２２に対して、ランプ２３と、このランプ２３に調光用の負荷電流を流すトランジスタＴＲを含む調光回路とを直列接続し、調光回路により負荷電流を制御して前記ランプ２３を調光しつつ点灯するライト回路２１であって、ランプ２３と調光回路のトランジスタＴＲとの接続点と、接地との間に接続したリレー接点ＲＹＣと、バッテリ２２に対してスイッチＳを介して接続されたリレーＲＹとを具備し、スイッチオンにてリレーＲＹを励磁しリレー接点ＲＹＣをオンしてトランジスタＴＲを短絡し、バッテリ２２からの駆動電圧の全てをランプ２３に印加するフル点灯制御回路を設けたものである。【選択図】図１
2008159518.tif 000002
【特許請求の範囲】
【請求項１】
駆動用のバッテリに対して、ランプと、このランプに調光用の負荷電流を流す回路素子を含む調光回路とを直列接続し、調光回路により負荷電流を制御して前記ランプを調光しつつ点灯するライト回路であって、
前記調光回路の回路素子を短絡し、バッテリからの駆動電圧の全てを前記ランプに印加するフル点灯制御回路を設けたことを特徴とするライト回路。
【請求項２】
駆動用のバッテリに対して、ランプと、このランプに調光用の負荷電流を流すトランジスタを含む調光回路とを直列接続し、調光回路により負荷電流を制御して前記ランプを調光しつつ点灯するライト回路であって、
前記ランプと調光回路のトランジスタとの接続点と、接地との間に接続したリレー接点と、バッテリに対してスイッチを介して接続されたリレーとを具備し、スイッチオンにてリレーを励磁し前記リレー接点をオンして前記トランジスタを短絡し、バッテリからの駆動電圧の全てを前記ランプに印加するフル点灯制御回路を設けたことを特徴とするライト回路。
【請求項３】
駆動用のバッテリに対して、ランプと、このランプに調光用の負荷電流を流すトランジスタを含む調光回路とを直列接続し、調光回路により負荷電流を制御して前記ランプを調光しつつ点灯するライト回路であって、
前記調光回路の負荷電流を調製する調光用の可変抵抗及び前記ランプのフル点灯用の可変抵抗を備えた調光用操作回路と、
基準電圧を出力する基準電圧回路と、
基準電圧とバッテリーからの駆動電圧とを比較し、バッテリからの駆動電圧の正常、異常を検出し、正常時にはランプの点灯動作を継続させ、異常時にはランプの点灯動作を停止させバッテリー停止検出回路と、
前記ランプと調光回路のトランジスタとの接続点と、接地との間に接続したリレー接点と、前記バッテリからの駆動電圧の正常時において、前記フル点灯用の可変抵抗の操作に応じて励磁されるリレーとを具備し、このリレーにより前記リレー接点をオンにして前記トランジスタを短絡し、バッテリからの駆動電圧の全てを前記ランプに印加するフル点灯制御回路と、
を有することを特徴とするライト回路。
【請求項４】
駆動用のバッテリに対して、ランプと、このランプに調光用の負荷電流を流すトランジスタを含む調光回路とを直列接続し、調光回路により負荷電流を制御して前記ランプを調光しつつ点灯するライト回路であって、
前記調光回路の負荷電流を調製する調光用の可変抵抗及び前記ランプのフル点灯用の可変抵抗を備えた調光用操作回路と、
基準電圧を出力する基準電圧回路と、
基準電圧とバッテリーからの駆動電圧とを比較し、バッテリからの駆動電圧の正常、異常を検出し、正常時にはランプの点灯動作を継続させ、異常時にはランプの点灯動作を停止させバッテリー停止検出回路と、
前記ランプと調光回路のトランジスタとの接続点と、接地との間に接続したリレー接点と、前記バッテリからの駆動電圧の正常時において、前記フル点灯用の可変抵抗の操作に応じて励磁されるリレーとを具備し、このリレーにより前記リレー接点をオンにして前記トランジスタを短絡し、バッテリからの駆動電圧の全てを前記ランプに印加するフル点灯制御回路と、
基準電圧とバッテリーからの駆動電圧とを比較し、バッテリー残量が所定電圧値か否かを検出するバッテリー残量検出回路と、
バッテリー残量が所定電圧値以下となったとき表示用発光ダイオード回路に設けた赤色の発光ダイオードを警告用に点灯させる発光ダイオード駆動回路と、
を有することを特徴とするライト回路。
【発明の詳細な説明】
【技術分野】
【０００１】
本発明は、ライト回路に関し、詳しくは、例えば水中カメラを用いて水中で魚や水中植物等を撮影する場合に使用する水中ライトに適用して好適なライト回路に関するものである。
【背景技術】
【０００２】
水中ライトを使用して水中で魚や水中植物等を照明する場合、可能な限り被写体を明るく照明するために水中ライトの発光源であるハロゲンランプ等のランプをフル点灯させることが要請される。
【０００３】
この種の水中ライトに適用されるライト回路の従来例を図４を参照して説明する。従来のライト回路５１は、バッテリ５２と、このバッテリ５２に接続したランプ（ハロゲンランプ等）５３、トランジスタＴＲの直列回路とを有し、前記トランジスタＴＲのベースに可変抵抗ＶＲを用いてバッテリ５２からの駆動電圧を調整した制御電圧を印加し、トランジスタＴＲをオンさせて前記ランプ５３を所望の明るさで点灯させるように構成している。
【０００４】
このライト回路５１によれば、可変抵抗ＶＲを操作して制御電圧を調整することでベース電流が変化し、これにより前記ランプ５３を流れる電流も変化し、ランプ２３の明るさを調整することができる。
【０００５】
しかし、前記ライト回路５１においては、可変抵抗ＶＲを操作して制御電圧を変えランプ２３の明るさを調整する場合において、前記トランジスタＴＲのコレクタ、エミッタ間の電圧降下（例えば０．４Ｖ程度）のため、バッテリ５２からの駆動電圧が全てランプ５３に印加されず、この結果、ランプ５３をフル点灯状態にすることができない。
【０００６】
特許文献１には、水中カメラの合焦時に被写体の照度を上げることを目的として、水中カメラ側に設けたＣＰＵから水中ライトに設けた照度制御手段に照度を上げるための制御信号を送り照明手段の点灯制御を行なうように構成した水中カメラ用水中ライトが提案されている。しかし、この特許文献１の場合も、照明手段のフル点灯制御を考慮したものではない。
【特許文献１】特開２００４−１６３６７１号公報
【発明の開示】
【発明が解決しようとする課題】
【０００７】
本発明が解決しようとする問題点は、水中ライト等の発光源であるランプを簡略な構成でフル点灯させることが可能なライト回路が存在しない点である。
【課題を解決するための手段】
【０００８】
本発明のライト回路は、駆動用のバッテリに対して、ランプと、このランプに調光用の負荷電流を流す回路素子を含む調光回路とを直列接続し、調光回路により負荷電流を制御して前記ランプを調光しつつ点灯するライト回路であって、
【０００９】
前記調光回路の回路素子を短絡し、バッテリからの駆動電圧の全てを前記ランプに印加するフル点灯制御回路を設けたことを最も主要な特徴とする。
【発明の効果】
【００１０】
請求項１記載の発明によれば、調光回路により負荷電流を制御してランプを調光する場合において、フル点灯制御回路により調光回路の回路素子を短絡し、バッテリからの駆動電圧の全てをランプに印加するように構成したので、簡略な構成でランプをフル点灯し被写体を最大の明るさで照明できるライト回路を提供できる。
【００１１】
請求項２記載の発明によれば、トランジスタを使用した調光回路により負荷電流を制御してランプを調光する場合において、スイッチ操作と、リレー及びリレー接点を用いたフル点灯制御回路により調光回路のトランジスタを短絡し、バッテリからの駆動電圧の全てをランプに印加するように構成したので、簡略な構成でランプをフル点灯し被写体を最大の明るさで照明できるライト回路を提供できる。
【００１２】
請求項３記載の発明によれば、バッテリが正常状態で、フル点灯用の可変抵抗を操作することで、調光回路のトランジスタを短絡し、バッテリからの駆動電圧の全てをランプに印加するように構成したので、簡略な構成でランプをフル点灯し被写体を最大の明るさで照明でき、また、調光用の可変抵抗を操作することでランプの明るさを所望に調製することができるライト回路を提供できる。
【００１３】
請求項４記載の発明によれば、請求項３記載の発明と同様な効果を奏するとともに、バッテリ残量検出回路、発光ダイオード駆動回路の動作で、バッテリの状態把握も容易なライト回路を提供できる。
【実施例】
【００１４】
以下に、本発明の実施例に係るライト回路２１について詳細に説明する。
【００１５】
本実施例に係るライト回路２１の基本的構成を図１に示す。このライト回路２１は、バッテリ２２と、このバッテリ２２に接続した負荷であるランプ２３、調光回路を構成するトランジスタＴＲの直列回路と、前記トランジスタＴＲのベースにバッテリ２２からの駆動電圧を調整した制御電圧を印加し、トランジスタＴＲをオンさせて前記ランプ２３を点灯させる可変抵抗ＶＲと、前記トランジスタＴＲのコレクタと接地との間に接続したフル点灯制御回路を構成するリレー接点ＲＹＣと、前記バッテリ２２の陽極と接地との間に接続したスイッチＳ及びリレーＲＹの直列回路とを有している。
【００１６】
このライト回路２１によれば、前記スイッチＳがオフの状態で、可変抵抗ＶＲを操作して制御電圧を調整することでベース電流が変化し、これにより前記ランプ２３を流れる電流も変化し、ランプ２３の明るさを調整することができる。
【００１７】
また、前記スイッチＳをオンすることで、前記リレーＲＹが励磁され、リレー接点ＲＹＣがオンとなり、これによりトランジスタＴＲが短絡されてバッテリ２２からの駆動電圧がそのままランプ２３に加わり、ランプ２３をフル点灯させることができる。
【００１８】
次に、図２、図３を参照して、前記ライト回路２１の基本的構成を応用した具体的実施例に係るライト回路３０について説明する。
【００１９】
具体的実施例に係るライト回路３０は、図２、図３に示すように、商用電源（ＡＣ１００Ｖ）からの交流電圧を直流電圧（例えばＤＣ１５Ｖ）に変換して出力するＡＣ／ＤＣアダプタ３１と、このＡＣ／ＤＣアダプタ３１に接続される受電回路３２、電源スイッチ回路３３、調光用操作回路３４、基準電圧回路３５、表示用発光ダイオード回路３６及び１２個の端子（端子１乃至端子１２）構成からなる第１端子部３７を有している。これらは、図示しないが例えば水中ライトを構成するスイッチ基板に搭載している。
【００２０】
前記受電回路３２は、ヒューズＦ１、抵抗Ｒ３、ダイオードＤ１、Ｄ２を有し、ＡＣ／ＤＣアタプタ３１からの駆動電圧を、端子（ｃｏｍ端子）１、端子２から図３に示す第２端子部４１の端子１、端子２に供給するように構成している。
【００２１】
また、前記受電回路３２は、前記ダイオードＤ２のアノード側を端子５，６に接続している。
【００２２】
前記電源スイッチ回路３３は、２連構成のスイッチＳ１、Ｓ２を、端子３、４と端子５、６との間に並列接続している。
【００２３】
前記調光用操作回路３４は、前記端子１に一端側を共通接続した２個の可変抵抗ＶＲ１、ＶＲ２を有し、調光用の可変抵抗ＶＲ１の他端を前記第１端子部３７の端子７に、中間接触子を端子８に接続している。また、フル点灯用の可変抵抗ＶＲ２の他端を端子５、６に、中間接触子を端子９に接続している。
【００２４】
前記基準電圧回路３５は、２個のトランジスタＱ１、Ｑ２と、例えば定格５．１ＶのツェナーダイオードＺＤと、抵抗Ｒ４とを具備し、トランジスタＱ１、Ｑ２の各エミッタを前記端子５、６らに共通接続し、トランジスタＱ２とツェナーダイオードＺＤとの接続点を前記端子１２に接続して、端子１２に基準電圧を供給するようになっている。
【００２５】
前記表示用発光ダイオード回路３６は、赤色発光の発光ダイオードＬＥＤ１と抵抗Ｒ１の直列回路を前記ダイオードＤ１のカソードと端子１１との間に接続し、緑色発光の発光ダイオードＬＥＤ２と抵抗Ｒ２の直列回路を前記ダイオードＤ１のカソードと端子１０との間に接続している。
【００２６】
前記ライト回路３０は、さらに、図３に示すように、第２端子部４１と、バッテリ４２と、バッテリ停止検出回路４３と、調光回路４４と、フル点灯制御回路４５と、バッテリ残量検出回路４６と、発光ダイオード駆動回路４７と、既存のＬＳＩ等を用いた充電制御回路４８と、前記調光回路４４、フル点灯制御回路４５により点灯駆動される２個のランプ（ハロゲンランプ）Ｌ１、Ｌ２とを有している。これらは図示しないが例えば水中ライトを構成する基板に搭載している。そして、第１端子部３７と第２端子部４１との接合により接続されるようになっている。
【００２７】
次に、図３に示す各回路について詳述する。前記第２端子部４１の端子（ｃｏｍ端子）１を、バッテリ４２の陰極に、端子３、４をバッテリ４２の陽極に接続している。前記端子６にはコンデンサＣ５１を接続している。
【００２８】
前記バッテリ停止検出回路４３は、前記端子１２から供給される基準電圧と、前記スイッチＳ１又はスイッチＳ２のオンに基づき端子５、６から供給されるバッテリ４２の駆動電圧とを比較するＩＣ１１Ａと、このＩＣ１１Ａの出力をラッチして、調光回路４４を制御する２個のナンドゲートＮＧ１、ＮＧ２を用いたラッチ回路とを有している。
【００２９】
すなわち、前記バッテリ停止検出回路４３は、前記端子１２から供給される基準電圧を抵抗Ｒ１０を介してＩＣ１１Ａの反転入力端子に供給するとともに、バッテリ４２の駆動電圧を抵抗Ｒ１１、抵抗Ｒ１２で分圧し、可変抵抗ＶＲ１１で調整し、さらに抵抗Ｒ１３を介してＩＣ１１Ａの反転入力端子に供給し、バッテリ４２の駆動電圧が規定の電圧（例えば７Ｖ）を下回るか否かを検出するようになっている。
【００３０】
前記ＩＣ１１Ａの反転入力端子と接地との間には、コンデンサＣ１１を接続し、またＩＣ１１を駆動電圧で駆動する回路にはコンデンサＣ１２を接続している。ＩＣ１１Ａの出力端子と反転入力端子との間には抵抗Ｒ１４を接続している。
【００３１】
前記ナンドゲートＮＧ１、ＮＧ２には、抵抗Ｒ１６を介して駆動電圧が供給されるとともに、ナンドゲートＮＧ１の出力を抵抗Ｒ１７を介して調光回路４４に送るように構成している。前記ナンドゲートＮＧ２はコンデンサＣ１３を介して接地されている。
【００３２】
前記調光回路４４は、前記抵抗Ｒ１７にベースを接続したトランジスタＱ２１を有するスロースタート回路と、トランジスタＱ２１によりそのコレクタに接続した抵抗Ｒ２２を介してオン、オフ制御されるトランジスタＱ２２と、２個のトランジスタＱ２３、Ｑ２４のダーリントン接続回路と、を有し、この調光回路４４に２個のランプＬ１、Ｌ２を接続してこれらを点灯駆動するようになっている。
【００３３】
前記トランジスタＱ２１のコレクタには、抵抗Ｒ２１を介して駆動電圧が供給され、また、トランジスタＱ２１のコレクタ、エミッタ間にはコンデンサＣ２１を接続して、トランジスタＱ２１がオンしたとき１秒程度の遅延をもって前記トランジスタＱ２２をオンさせる（スロースタート動作）ように構成している。
【００３４】
また、前記トランジスタＱ２２のコレクタには駆動電圧が供給されるとともに、トランジスタＱ２２のエミッタは抵抗Ｒ２３、抵抗Ｒ２４を介し、前記端子７を経て可変抵抗ＶＲ１に接続されている。すなわち、トランジスタＱ２２がオンしたとき、駆動電圧を抵抗Ｒ２３、抵抗Ｒ２４を介して前記可変抵抗ＶＲ１に印加するように構成している。
【００３５】
前記２個のトランジスタＱ２３、Ｑ２４のダーリントン接続回路における一方のトランジスタＱ２３のベース、接地間には抵抗Ｒ２５を接続するとともに、このトランジスタＱ２３のベースを、前記端子８を介して可変抵抗ＶＲ１の中間接続子に接続している。また、トランジスタＱ２３のコレクタ、ベース間には、抵抗Ｒ２６を接続している。さらに、トランジスタＱ２３、Ｑ２４のコレクタと駆動電圧が供給される回路との間にはダイオードＤ２１を接続している。
【００３６】
前記バッテリ停止検出回路４３により、基準電圧回路３５からの基準電圧とバッテリー４２からの駆動電圧とを比較し、バッテリ４２からの駆動電圧の正常、異常を検出し、正常時にはランプＬ１、Ｌ２の点灯動作を継続させ、異常時にはランプＬ１、Ｌ２の点灯動作を停止させることができる。
【００３７】
前記フル点灯制御回路４５は、前記駆動電圧を抵抗Ｒ３１を介してトランジスタＱ３１のコレクタに接続し、トランジスタＱ３１のベースと接地間にリレーＲＹを接続して、前記トランジスタＱ３１のオン動作によりリレーＲＹを励磁して前記トランジスタＱ２４のコレクタ、エミッタ間に接続したリレー接点ＲＹＣをオン状態とし、これにより、前記ランプＬ１、Ｌ２に駆動電圧をそのまま印加しフル点灯させるように構成している。前記トランジスタＱ３１のコレクタと、接地との間には、ダイオードＤ３１を接続している。
【００３８】
前記フル点灯制御回路４５は、さらに前記ナンドゲートＮＧ１、ＮＧ２からなるラッチ回路の出力が抵抗Ｒ３２を経て供給されオン、オフ制御されるトランジスタＱ３２と、前記駆動電圧により駆動されるＩＣ３１Ａを具備している。
【００３９】
このＩＣ３１Ａの反転入力端子に、前記トランジスタＱ３２のコレクタを接続し、また、可変抵抗ＶＲ３１を介して電圧調整されて供給される駆動電圧をＩＣ３１Ａの非反転入力端子に供給するようになっている。
【００４０】
前記ＩＣ３１Ａの非反転入力端子は、抵抗Ｒ３３を介して接地している。また、ＩＣ３１Ａの非反転入力端子と出力端子との間に抵抗Ｒ３５を接続し、ＩＣ３１Ａの出力端子側に抵抗Ｒ３４を介して駆動電圧を供給し、さらにＩＣ３１Ａの出力端子を抵抗Ｒ３６を介して前記トランジスタＱ３１に接続している。
【００４１】
前記フル点灯制御回路４５は、さらに前記トランジスタＱ３２とＩＣ３１Ａの反転入力端子との接続点に抵抗Ｒ３７、ダイオードＤ３２の並列回路を接続し、この並列回路を前記端子９を介して前記可変抵抗ＶＲ２の中間接触子に接続している。また、トランジスタＱ３２のコレクタと接地との間にコンデンサＣ３１を接続している。
【００４２】
上述したフル点灯制御回路４５の構成により、前記ラッチ回路の出力でトランジスタＱ２２がオンした状態（バッテリが正常状態）で前記可変抵抗ＶＲ２を操作し、ＩＣ３１Ａから前記トランジスタＱ３１のベースに所定の制御電圧を送り、トランジスタＱ３１のオン動作によりリレーＲＹを励磁して前記リレー接点ＲＹＣをオン状態とし、これにより、前記ランプＬ１、Ｌ２に駆動電圧をそのまま印加しフル点灯させることができる。
【００４３】
また、前記ラッチ回路の出力でトランジスタＱ２２がオンした状態（バッテリが正常状態）で前記可変抵抗ＶＲ１を操作し前記トランジスタＱ２３、Ｑ２４を制御することで、前記ランプＬ１、Ｌ２の明るさを所望に調製することができる。
【００４４】
前記バッテリ残量検出回路４６は、前記駆動電圧により駆動される２個のＩＣ４１Ａ、４２Ａと、駆動電圧を分圧する抵抗Ｒ４１、可変抵抗ＶＲ４１、抵抗Ｒ４２の直列回路と、を有し、可変抵抗ＶＲ４１により電圧調整して抵抗Ｒ４４を介して前記ＩＣ４１Ａの反転入力端子及びＩＣ４１Ａの非反転入力端子に供給している。
【００４５】
また、前記基準電圧を、抵抗Ｒ４５を介して前記ＩＣ４１Ａの非反転入力端子に供給し、さらに、ＩＣ４１Ａの非反転入力端子に供給される電圧を抵抗Ｒ４６、抵抗Ｒ４７により分圧してＩＣ４２Ａの反転入力端子に供給している。
【００４６】
前記発光ダイオード駆動回路４７は、前記ＩＣ４１Ａ、ＩＣ４２Ａの出力側に接続した抵抗Ｒ４８、抵抗Ｒ４９と、前記ＩＣ４１Ａ又はＩＣ４２Ａの出力によりオン、オフ制御されるトランジスタＱ４１とを具備し、このトランジスタＱ４１のコレクタを前記端子１１、前記抵抗Ｒ１を経て前記赤色発光の発光ダイオードＬＥＤ１のカソードに接続している。
【００４７】
以上のバッテリ残量検出回路４６、発光ダイオード駆動回路４７の構成により、前記バッテリ４２からの駆動電圧と基準電圧回路３５からの基準電圧との比較を行い、バッテリ４２の残量が低下したときに発光ダイオード駆動回路４７を動作させ、赤色発光の発光ダイオードＬＥＤ１を発光させてバッテリ残量警告を行うことができる
【００４８】
本実施例のライト回路３０によれば、水中ライトに搭載した状態において、商用電源に接続したＡＣ／ＤＣアダプタ３１によって図２に示すように、ライト回路３０の受電回路３２、第１端子部３７、第２端子部４１を介してバッテリ２２に給電し、バッテリ２２を充電することができる。
【００４９】
また、本実施例のライト回路３０を水中ライトに搭載した状態において、バッテリ２２の充電終了後、ＡＣ／ＤＣアダプタ３１を取り外すことで、この水中ライトを水中カメラ等の照明光源として使用することができる。
【産業上の利用可能性】
【００５０】
本発明は、上述した場合の他、ビデオカメラやデジタルカメラ等の照明用として使用する各種ライトについても応用可能である。
【図面の簡単な説明】
【００５１】
【図１】本発明の実施例に係るライト回路の基本的構成を示す回路図である。
【図２】本発明の実施例に係るライト回路の具体的構成の一部を示す回路図である。
【図３】本発明の実施例に係るライト回路の具体的構成の他部を示す回路図である。
【図４】従来のライト回路の基本的構成を示す回路図である。
【符号の説明】
【００５２】
１    端子
２    端子
３    端子
４    端子
５    端子
６    端子
７    端子
８    端子
８    端子
９    端子
１０    端子
１１    端子
１１Ａ  ＩＣ
１２    端子
２１    ライト回路
２２    バッテリ
２３    ランプ
３０    ライト回路
３１    ＡＣ／ＤＣアダプタ
３１Ａ  ＩＣ
３２    受電回路
３３    電源スイッチ回路
３４    調光用操作回路
３５    基準電圧回路
３６    表示用発光ダイオード回路
３７    第１端子部
４１    第２端子部
４１Ａ  ＩＣ
４２    バッテリ
４２Ａ  ＩＣ
４３    バッテリ停止検出回路
４４    調光回路
４５    フル点灯制御回路
４６    バッテリ残量検出回路
４７    発光ダイオード駆動回路
４８    充電制御回路
Ｃ１１  コンデンサ
Ｃ１２  コンデンサ
Ｃ１３  コンデンサ
Ｃ２１  コンデンサ
Ｃ３１  コンデンサ
Ｃ５１  コンデンサ
Ｄ１    ダイオード
Ｄ２    ダイオード
Ｄ２１  ダイオード
Ｄ３１  ダイオード
Ｄ３２  ダイオード
Ｆ１    ヒューズ
Ｌ１    ランプ
Ｌ２    ランプ
ＮＧ１    ナンドゲート
ＮＧ２    ナンドゲート
Ｑ１    トランジスタ
Ｑ２    トランジスタ
Ｑ２１  トランジスタ
Ｑ２２  トランジスタ
Ｑ２３  トランジスタ
Ｑ２４  トランジスタ
Ｑ３１  トランジスタ
Ｑ３２  トランジスタ
Ｑ４１  トランジスタ
Ｒ１    抵抗
Ｒ２    抵抗
Ｒ３    抵抗
Ｒ４    抵抗
Ｒ１０  抵抗
Ｒ１１  抵抗
Ｒ１２  抵抗
Ｒ１３  抵抗
Ｒ１４  抵抗
Ｒ１６  抵抗
Ｒ１７  抵抗
Ｒ２１  抵抗
Ｒ２２  抵抗
Ｒ２３  抵抗
Ｒ２４  抵抗
Ｒ２５  抵抗
Ｒ２６  抵抗
Ｒ３１  抵抗
Ｒ３２  抵抗
Ｒ３３  抵抗
Ｒ３４  抵抗
Ｒ３５  抵抗
Ｒ３６  抵抗
Ｒ３７  抵抗
Ｒ４１  抵抗
Ｒ４２  抵抗
Ｒ４４  抵抗
Ｒ４５  抵抗
Ｒ４６  抵抗
Ｒ４７  抵抗
Ｒ４８  抵抗
Ｒ４９  抵抗
ＲＹ    リレー
ＲＹＣ  リレー接点
Ｓ      スイッチ
Ｓ１    スイッチ
Ｓ２    スイッチ
ＴＲ    トランジスタ
ＬＥＤ１  発光ダイオード
ＬＥＤ２  発光ダイオード
ＶＲ      可変抵抗
ＶＲ１    可変抵抗
ＶＲ２    可変抵抗
ＶＲ１１  可変抵抗
ＶＲ３１  可変抵抗
ＶＲ４１  可変抵抗
ＺＤ      ツェナーダイオード
【図１】
2008159518.tif 000003
【図２】
2008159518.tif 000004
【図３】
2008159518.tif 000005
【図４】
2008159518.tif 000006